(57)【要約】      （修正有）【課題】手摺棒を取り付ける作業に手間が掛からず、しかも手摺棒をブラケット装置に取り付ける位置を現場合わせすることが可能な手摺のブラケット装置を提供する。【解決手段】雄ネジ部材２３を雄ネジ挿通穴に下側から挿通する。そして、垂直部１３内に備えた雌ネジ部材２９に螺合する。この雌ネジ部材２９に両端が連結されたバンド３１の一部は開口から突出している。このバンド３１の突出部分に手摺棒３を通して雄ネジ部材２３を締める。これにより、雌ネジ部材２９を底部側へ移動させて、バンド３１により手摺棒３を締付け固定する。このときバンド３１が一対の保持溝２１に嵌るので、雄ネジ部材２３を回してもバンド３１が捻じれるのを防止することができる。従って、手摺棒３に対しバンド３１を確実に密着させることが可能となる。【選択図】図５
0003201071.tif 000002
【実用新案登録請求の範囲】
【請求項１】
棒状で略水平方向へ延びる水平部と、前記水平部の基端部に設けられ建築物の壁面に取り付けられる取付け部と、前記水平部の他端部に設けられ略垂直方向へ延びる垂直部とを有する手摺のブラケット装置において、
前記垂直部はその上面に開口、その下面に底部を有するパイプによって構成され、前記底部の中心部分には雄ネジ挿通穴が形成されており、前記雄ネジ挿通穴に挿通される雄ネジ部材と、前記雄ネジ部材に螺合し前記垂直部内に備えられる雌ネジ部材と、前記雌ネジ部材に両端部が連結されて環状を為し、且つ一部が前記開口から突出するバンドとを有し、前記バンドに手摺棒を通して前記雄ネジ部材を締め、前記雌ネジ部材を前記底部側へ移動させることで前記手摺棒を締付け固定することを特徴とする手摺のブラケット装置。
【請求項２】
請求項１に記載した手摺のブラケット装置において、垂直部の開口側の縁部にはバンドが嵌り込む一対の保持溝が設けられていることを特徴とする手摺のブラケット装置。
【請求項３】
請求項１または２に記載した手摺のブラケット装置において、垂直部の開口側の縁部には丸棒状の手摺棒の周面に嵌る一対の円弧状の切欠き部が形成され、前記一対の円弧状の切欠き部は線対称となっていることを特徴とする手摺のブラケット装置。
【考案の詳細な説明】
【技術分野】
【０００１】
本考案は手摺のブラケット装置に係り、特に建築物の階段、廊下等の壁面に手摺を取り付けるための手摺のブラケット装置に関するものである。
【背景技術】
【０００２】
この種の手摺のブラケット装置は略Ｌ字形の本体を備え、この本体の基端部には取付け板が設けられている。取付け板は壁面にネジ止めされ、本体の先端部に手摺棒が取り付けられる。
例えば、特許文献１に示すものでは手摺棒にレール溝を形成して、このレール溝にレールフレームを装着し、レールフレームを介して手摺棒をブラケットにネジ止めして取り付けている。
【先行技術文献】
【特許文献】
【０００３】
【特許文献１】特開２０００−１１０３１９号公報
【考案の概要】
【考案が解決しようとする課題】
【０００４】
しかしながら、上記従来の手摺のブラケット装置は、レール溝にレールフレームを装着し、レールフレームを介して手摺棒をブラケットの本体にネジ止めしているため、取り付け作業に手間が掛かってしまうという問題がある。
しかも手摺棒をブラケットの本体にネジ止めすることから、手摺棒側の雌ネジの位置が予め決められてしまう。このため雄ネジの装着位置が限定されることになり、現場合わせが行い難いという欠点もある。
本考案は上記従来の問題点に着目して為されたものであり、手摺棒を取り付ける作業に手間が掛からず、しかも手摺棒をブラケット装置に取り付ける位置の現場合わせを容易に行うことが可能な手摺のブラケット装置の提供を、その目的とする。
【課題を解決するための手段】
【０００５】
本考案は上記課題を解決するためになされたものであり、請求項１の考案は、棒状で略水平方向へ延びる水平部と、前記水平部の基端部に設けられ建築物の壁面に取り付けられる取付け部と、前記水平部の他端部に設けられ略垂直方向へ延びる垂直部とを有する手摺のブラケット装置において、
前記垂直部はその上面に開口、その下面に底部を有するパイプによって構成され、前記底部の中心部分には雄ネジ挿通穴が形成されており、前記雄ネジ挿通穴に挿通される雄ネジ部材と、前記雄ネジ部材に螺合し前記垂直部内に備えられる雌ネジ部材と、前記雌ネジ部材に両端部が連結されて環状を為し、且つ一部が前記開口から突出するバンドとを有し、前記バンドに手摺棒を通して前記雄ネジ部材を締め、前記雌ネジ部材を前記底部側へ移動させることで前記手摺棒を締付け固定することを特徴とする手摺のブラケット装置である。
【０００６】
請求項２の考案は、請求項１に記載した手摺のブラケット装置において、垂直部の開口側の縁部にはバンドが嵌り込む一対の保持溝が設けられていることを特徴とする手摺のブラケット装置である。
【０００７】
請求項３の考案は、請求項１または２に記載した手摺のブラケット装置において、垂直部の開口側の縁部には丸棒状の手摺棒の周面に嵌る一対の円弧状の切欠き部が形成され、前記一対の円弧状の切欠き部は線対称となっていることを特徴とする手摺のブラケット装置である。
【考案の効果】
【０００８】
本考案の手摺のブラケット装置によれば、手摺棒を取り付ける作業に手間が掛からず、手摺棒をブラケット装置に取り付ける作業を簡単に行うことができるようになる。
しかも手摺棒をブラケット装置に取り付ける位置を現場合わせすることが可能となる。
【図面の簡単な説明】
【０００９】
【図１】本考案の実施の形態に係る手摺のブラケット装置を用いて手摺棒を建築物の壁面に取り付けた状態を示す斜視図である。
【図２】図１の手摺のブラケット装置の分解斜視図である。
【図３】図１の手摺のブラケット装置の垂直部の開口部分の縦断面図である。
【図４】図１の手摺のブラケット装置の使用方法を説明するための断面図である。
【図５】図１の手摺のブラケット装置の使用方法を説明するための断面図である。
【図６】図１の手摺のブラケット装置を用いて手摺棒を建築物の壁面に取り付けた状態を示す正面図である。
【考案を実施するための形態】
【００１０】
本考案の実施の形態に係る手摺のブラケット装置１を図面にしたがって説明する。
図１に示すようにブラケット装置１は建築物の壁面Ｗに手摺棒３を取り付けるために用いるものである。ブラケット装置１の構造について説明する。
図２において符号５は水平部を示し、この水平部５は棒状で略水平方向へ延びている。水平部５の基端部には取付け部としての取付け円板７が固定されており、この取付け円板７には３つのネジ挿通穴９が形成されている。ネジ挿通穴９には後述するように取り付け用の雄ネジ部材１１が挿通される。
【００１１】
水平部５の他端部には略垂直方向へ延びる垂直部１３が設けられており、この垂直部１３は上面に開口１５、下面に底部１７を有するパイプによって構成されている。底部１７の中心部分には雄ネジ挿通穴１９が形成されている。
開口１５側の縁部には一対の保持溝２１が形成され、この保持溝２１は互いに対向する位置に備えられている（図３参照）。垂直部１３の開口１５側の縁部には手摺棒３の外周面に嵌る一対の円弧状の切欠き部２０が形成され、一対の切欠き部２０は線対称となっている。
【００１２】
符号２３は雄ネジ部材を示し、この雄ネジ部材２３は雄ネジ挿通穴１９に下側から挿通される。雄ネジ部材２３には座金２５、スプリングワッシャ２７が通される。
符号２９は雌ネジ部材を示し、この雌ネジ部材２９の壁面にはバネ性を有するステンレススチール製のバンド３１の両端が連結されている。バンド３１の雌ネジ部材２９に連結された両端は互いに対向しており、バンド３１は環状を為している。また、バンド３１の内面３１ａには滑り止め剤が塗布されている。
【００１３】
次に、この手摺のブラケット装置１の使用方法を説明する。
図４に示すように雄ネジ部材２３に座金２５、スプリングワッシャ２７を通し、この雄ネジ部材２３を雄ネジ挿通穴１９に下側から挿通する。そして、垂直部１３内に備えた雌ネジ部材２９に螺合する。この雌ネジ部材２９に両端が連結されたバンド３１の一部は開口１５から突出している。
また、雄ネジ部材１１を取付け円板７の３つのネジ挿通穴９に挿通し、壁面Ｗに螺合させることで、手摺のブラケット装置１を壁面Ｗに固定する。
【００１４】
そして、バンド３１の開口１５からの突出部分に手摺棒３を通して雄ネジ部材２３を締める。これにより、図５に示すように雌ネジ部材２９を底部１７側へ移動させて、バンド３１によって手摺棒３を締付け固定する。このときバンド３１が一対の保持溝２１に嵌るので、雄ネジ部材２３を回してもバンド３１が捻じれるのを防止することができる。従って、手摺棒３に対しバンド３１を確実に密着させることが可能となる。しかも、バンド３１の内面３１ａには滑り止め剤が塗布されているので、バンド３１が手摺棒３に対し滑るのを防止することができる。
【００１５】
また、垂直部１３の開口１５側の縁部には手摺棒３の外周面に嵌る一対の円弧状の切欠き部２０が形成されているので、切欠き部２０が丸棒状の手摺棒３の周面に嵌る。従って、垂直部１３の開口１５側の縁部が手摺棒３の周面に隙間のない状態でぴったり嵌ることになる。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、本発明の手摺のブラケット装置は丸棒状の手摺棒を壁面に取り付ける場合に用いるだけでなく、四角柱等、多角柱状の手摺棒にも適用することが可能である。この場合、垂直部の開口側の縁部は手摺棒にぴったり嵌る形状に形成する。
バンドはステンレススチール製に限らず、鉄等の他の金属、合成樹脂等によって構成することが可能である。
【産業上の利用可能性】
【００１７】
本考案の手摺のブラケット装置は、ブラケット装置の製造業、建築業に利用可能性を有し、手摺棒を取り付ける作業に手間が掛からず、手摺棒をブラケット装置に取り付ける作業を簡単に行うことができるようになる。しかも手摺棒をブラケット装置に取り付ける位置を現場合わせすることが可能となる。
【符号の説明】
【００１８】
１…手摺のブラケット装置    ３…手摺棒              ５…水平部
７…取付け円板              ９…ネジ挿通穴        １１…雄ネジ部材
１３…垂直部                １５…垂直部の上面開口  １７…垂直部の底部
１９…雄ネジ挿通穴          ２０…切欠き部          ２１…保持溝
２３…雄ネジ部材            ２５…座金
２７…スプリングワッシャ    ２９…雌ネジ部材        ３１…バンド
Ｗ…建築物の壁面
【図１】
0003201071.tif 000003
【図２】
0003201071.tif 000004
【図３】
0003201071.tif 000005
【図４】
0003201071.tif 000006
【図５】
0003201071.tif 000007
【図６】
0003201071.tif 000008